(57)【特許請求の範囲】
【請求項１】
無線ＬＡＮ（ＷＬＡＮ）システムにおいて複数のステーション（ＳＴＡ）に無線フレームを送信する方法であって、
前記方法は、
シグナリングフィールド及びデータフィールドを含む前記無線フレームを生成することと、
前記生成されたフレームを前記複数のＳＴＡに送信することと
を含み、
前記シグナリングフィールドは、フレーム解釈のための制御情報を含む第１のシグナリングフィールド（ＳＩＧ  Ａフィールド）及び前記複数のＳＴＡのそれぞれに個別的な制御情報を含む第２のシグナリングフィールド（ＳＩＧ  Ｂフィールド）を含み、
前記第２のシグナリングフィールドは、前記複数のＳＴＡに共通した制御情報を含む第１のブロック及び前記複数のＳＴＡのそれぞれに対する制御情報を含む第２のブロックを含み、
前記第２のシグナリングフィールドは、第１の２０ＭＨｚ帯域及び第２の２０ＭＨｚ帯域内の独立した制御情報を含み、
前記第１の２０ＭＨｚ帯域の前記制御情報は、前記第２の２０ＭＨｚ帯域に隣接した第３の２０ＭＨｚ帯域内に複製されており、前記第２の２０ＭＨｚ帯域の前記制御情報は、前記第３の２０ＭＨｚ帯域に隣接した第４の２０ＭＨｚ帯域内に複製されている、方法。
【請求項２】
前記第２のシグナリングフィールドは、一つの第１のブロックと前記第１のブロックに後続する一つ以上の第２のブロックを含み、
前記第２のブロックの数は、前記複数のＳＴＡの数によって決定される、請求項１に記載の方法。
【請求項３】
前記第１のブロックは、前記複数のＳＴＡに共通した制御情報として前記複数のＳＴＡに対するリソース割当情報を含む、請求項１に記載の方法。
【請求項４】
前記リソース割当情報は、割り当てられるリソース割当単位の数についての情報と、各リソース割当単位の大きさについての情報と、各リソース割当単位の周波数領域配置についての情報と、リソース割当単位当たり割り当てられた使用者の数についての情報とのうちの少なくとも一つを含む、請求項３に記載の方法。
【請求項５】
前記第２のシグナリングフィールドの前記第１のブロック及び前記第２のブロックは、ブロック単位で個別的にエンコードされる、請求項１に記載の方法。
【請求項６】
前記第２のシグナリングフィールドの前記第１のブロック及び前記第２のブロックのそれぞれは、個別的なＣＲＣ（Ｃｙｃｌｉｃ  Ｒｅｄｕｎｄａｎｃｙ  Ｃｈｅｃｋ）を含む、請求項１に記載の方法。
【請求項７】
前記第１のシグナリングフィールドは、前記第２のシグナリングフィールドが送信されるリソース領域についての情報を含む、請求項１に記載の方法。
【請求項８】
無線ＬＡＮ（ＷＬＡＮ）システムにおいて複数のステーション（ＳＴＡ）に無線フレームを送信する無線装置であって、
前記無線装置は、
シグナリングフィールド及びデータフィールドを含む前記無線フレームを生成するように構成されるプロセッサと、
前記フレームを前記複数のＳＴＡに送信するように構成される送受信機と
を備え、
前記シグナリングフィールドは、フレーム解釈のための制御情報を含む第１のシグナリングフィールド（ＳＩＧ  Ａフィールド）及び前記複数のＳＴＡのそれぞれに個別的な制御情報を含む第２のシグナリングフィールド（ＳＩＧ  Ｂフィールド）を含み、
前記第２のシグナリングフィールドは、前記複数のＳＴＡに共通した制御情報を含む第１のブロック及び前記複数のＳＴＡのそれぞれに対する制御情報を含む第２のブロックを含み、
前記第２のシグナリングフィールドは、第１の２０ＭＨｚ帯域及び第２の２０ＭＨｚ帯域内の独立した制御情報を含み、
前記第１の２０ＭＨｚ帯域の前記制御情報は、前記第２の２０ＭＨｚ帯域に隣接した第３の２０ＭＨｚ帯域内に複製されており、前記第２の２０ＭＨｚ帯域の前記制御情報は、前記第３の２０ＭＨｚ帯域に隣接した第４の２０ＭＨｚ帯域内に複製されている、無線装置。
【請求項９】
前記第２のシグナリングフィールドは、一つの第１のブロックと前記第１のブロックに後続する一つ以上の第２のブロックを含み、
前記第２のブロックの数は、前記複数のＳＴＡの数によって決定される、請求項８に記載の無線装置。
【請求項１０】
前記第１のブロックは、前記複数のＳＴＡに共通した制御情報として前記複数のＳＴＡに対するリソース割当情報を含む、請求項８に記載の無線装置。
【請求項１１】
前記リソース割当情報は、割り当てられるリソース割当単位の数についての情報と、各リソース割当単位の大きさについての情報と、各リソース割当単位の周波数領域配置についての情報と、リソース割当単位当たり割り当てられた使用者の数についての情報とのうちの少なくとも一つを含む、請求項１０に記載の無線装置。
【発明の詳細な説明】
【技術分野】
【０００１】
以下の説明は無線ＬＡＮシステムにおける制御情報を含む多重使用者又は多重ステーション（ＳＴＡ）無線フレーム伝送方法及びそのための装置に関するものである。
【背景技術】
【０００２】
無線ＬＡＮ技術に対する標準はＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準として開発されている。ＩＥＥＥ  ８０２．１１ａ及びｂは２．４．ＧＨｚ又は５ＧＨｚで非免許帯域（ｕｎｌｉｃｅｎｓｅｄ  ｂａｎｄ）を利用し、ＩＥＥＥ  ８０２．１１ｂは１１Ｍｂｐｓの伝送速度を提供し、ＩＥＥＥ  ８０２．１１ａは５４Ｍｂｐｓの伝送速度を提供する。ＩＥＥＥ  ８０２．１１ｇは２．４ＧＨｚで直交周波数分割多重化（Ｏｒｔｈｏｇｏｎａｌ  ｆｒｅｑｕｅｎｃｙ−ｄｉｖｉｓｉｏｎ  ｍｕｌｔｉｐｌｅｘｉｎｇ；ＯＦＤＭ）を適用し、５４Ｍｂｐｓの伝送速度を提供する。ＩＥＥＥ  ８０２．１１ｎは多重入出力ＯＦＤＭ（ｍｕｌｔｉｐｌｅ  ｉｎｐｕｔ  ｍｕｌｔｉｐｌｅ  ｏｕｔｐｕｔ−ＯＦＤＭ；ＭＩＭＯ−ＯＦＤＭ）を適用し、４個の空間的なストリーム（ｓｐａｔｉａｌ  ｓｔｒｅａｍ）に対して３００Ｍｂｐｓの伝送速度を提供する。ＩＥＥＥ  ８０２．１１ｎではチャネル帯域幅（ｃｈａｎｎｅｌ  帯域幅）を４０ＭＨｚまで支援し、この場合には６００Ｍｂｐｓの伝送速度を提供する。
【０００３】
上述した無線ＬＡＮ標準は、最大１６０ＭＨｚ帯域幅を用いて、８個の空間ストリームを支援して最大１Ｇｂｉｔ／ｓの速度を支援するＩＥＥＥ  ８０２．１１ａｃ標準を経て、ＩＥＥＥ  ８０２．１１ａｘ標準化に関する議論が進んでいる。
【発明の概要】
【発明が解決しようとする課題】
【０００４】
ＩＥＥＥ  ８０２．１１ａｘ標準化ではＯＦＤＭＡ伝送方式及び多重使用者（ＭＵ）伝送方式が用いられる予定である。これによって、一時点に多くの使用者にフレームを送信するとか多くの使用者からフレームを受信するとき、効率的にリソースを割り当てる方法が要求される。
【０００５】
また、ＩＥＥＥ  ８０２．１１ａｘシステムでは無線フレーム内の複数の使用者に対する多様な制御情報を含めて送信しなければならないため、これを効率的に送信する方法及び装置に対する考慮が必要である。
【課題を解決するための手段】
【０００６】
上述したような課題を解決するための本発明の一側面は、無線ＬＡＮ（ＷＬＡＮ）システムにおいて複数のステーション（ＳＴＡ）に無線フレームを送信する方法であって、シグナリングフィールド及びデータフィールドを含むフレームを生成し、前記シグナリングフィールドは前記フレーム解釈のための制御情報を含む第１シグナリングフィールド（ＳＩＧ  Ａフィールド）及び前記複数のＳＴＡのそれぞれに個別的な制御情報を含む第２シグナリングフィールド（ＳＩＧ  Ｂフィールド）を含み、前記第２シグナリングフィールドは前記複数のＳＴＡに共通した制御情報を含む第１ブロック及び前記複数のＳＴＡのそれぞれに対する制御情報を含む第２ブロックを含み、前記生成されたフレームを前記複数のＳＴＡに送信する、無線フレーム伝送方法を提案する。
【０００７】
前記第２シグナリングフィールドは一つの前記第１ブロックと前記第１ブロックに後続する一つ以上の前記第２ブロックを含むことができ、前記第２ブロックの数は前記複数のＳＴＡの数によって決定できる。
【０００８】
前記第１ブロックは、前記複数のＳＴＡに共通した制御情報として前記複数のＳＴＡに対するリソース割当情報を含むことができる。
【０００９】
前記リソース割当情報は、割り当てられるリソース割当単位の数、各リソース割当単位の大きさ、各リソース割当単位の周波数領域配置についての情報及び各リソース割当単位当たり割り当てられた使用者の数についての情報のうち一つ以上を含むことができる。
【００１０】
前記第２シグナリングフィールドは２０ＭＨｚ帯域ごとに独立的にエンコードされる制御情報を含むことができる。
【００１１】
前記第２シグナリングフィールドは８０ＭＨｚ帯域内で４０ＭＨｚ単位で繰り返し送信されることができ、特定の４０ＭＨｚ内では２０ＭＨｚ帯域内で独立的にエンコードされる制御情報を含むことができる。
【００１２】
前記第２シグナリングフィールドの前記第１ブロック及び前記第２ブロックはそれぞれブロック単位で個別的にエンコードできる。
【００１３】
前記第２シグナリングフィールドの前記第１ブロック及び前記第２ブロックはそれぞれ個別的なＣＲＣ（Ｃｙｃｌｉｃ  Ｒｅｄｕｎｄａｎｃｙ  Ｃｈｅｃｋ）を含むことができる。
【００１４】
前記第１シグナリングフィールドは、前記第２シグナリングフィールドが送信されるリソース領域についての情報を含むことができる。
【００１５】
本発明の他の一側面は、無線ＬＡＮ（ＷＬＡＮ）システムにおいて複数のステーション（ＳＴＡ）に無線フレームを送信する無線装置であって、シグナリングフィールド及びデータフィールドを含むフレームとして、前記シグナリングフィールドは前記フレーム解釈のための制御情報を含む第１シグナリングフィールド（ＳＩＧ  Ａフィールド）及び前記複数のＳＴＡのそれぞれに個別的な制御情報を含む第２シグナリングフィールド（ＳＩＧ  Ｂフィールド）を含み、前記第２シグナリングフィールドは前記複数のＳＴＡに共通した制御情報を含む第１ブロック及び前記複数のＳＴＡのそれぞれに対する制御情報を含む第２ブロックを含む、前記フレームを生成するように構成されるプロセッサ；及び前記プロセッサによって生成されたフレームを前記複数のＳＴＡに送信する送受信機を含む、無線装置を提案する。
【００１６】
前記第２シグナリングフィールドは一つの前記第１ブロックと前記第１ブロックに後続する一つ以上の前記第２ブロックを含むことができ、前記第２ブロックの数は前記複数のＳＴＡの数によって決定できる。
【００１７】
前記第１ブロックは、前記複数のＳＴＡに共通した制御情報として前記複数のＳＴＡについてのリソース割当情報を含むことができる。
【００１８】
前記リソース割当情報は、割り当てられるリソース割当単位の数、各リソース割当単位の大きさ、各リソース割当単位の周波数領域配置についての情報及び各リソース割当単位当たり割り当てられた使用者の数についての情報のうち一つ以上を含むことができる。
【００１９】
前記プロセッサは前記第２シグナリングフィールドの制御情報を２０ＭＨｚ帯域ごとに独立的にエンコードすることができる。
【００２０】
前記プロセッサは前記第２シグナリングフィールドの前記第１ブロック及び前記第２ブロックをそれぞれブロック単位で個別的にエンコードすることができる。
本明細書は、例えば、以下の項目も提供する。
（項目１）
無線ＬＡＮ（ＷＬＡＮ）システムにおいて複数のステーション（ＳＴＡ）に無線フレームを送信する方法であって、
シグナリングフィールド及びデータフィールドを含むフレームを生成し、
前記シグナリングフィールドは前記フレーム解釈のための制御情報を含む第１シグナリングフィールド（ＳＩＧ  Ａフィールド）及び前記複数のＳＴＡのそれぞれに個別的な制御情報を含む第２シグナリングフィールド（ＳＩＧ  Ｂフィールド）を含み、
前記第２シグナリングフィールドは前記複数のＳＴＡに共通した制御情報を含む第１ブロック及び前記複数のＳＴＡのそれぞれに対する制御情報を含む第２ブロックを含み、
前記生成されたフレームを前記複数のＳＴＡに送信する、無線フレーム伝送方法。
（項目２）
前記第２シグナリングフィールドは一つの前記第１ブロックと前記第１ブロックに後続する一つ以上の前記第２ブロックを含み、
前記第２ブロックの数は前記複数のＳＴＡの数によって決定される、項目１に記載の無線フレーム伝送方法。
（項目３）
前記第１ブロックは、前記複数のＳＴＡに共通した制御情報として前記複数のＳＴＡに対するリソース割当情報を含む、項目１に記載の無線フレーム伝送方法。
（項目４）
前記リソース割当情報は、割り当てられるリソース割当単位の数、各リソース割当単位の大きさ、各リソース割当単位の周波数領域配置についての情報及び各リソース割当単位当たり割り当てられた使用者の数についての情報のうち一つ以上を含む、項目３に記載の無線フレーム伝送方法。
（項目５）
前記第２シグナリングフィールドは２０ＭＨｚ帯域ごとに独立的にエンコードされる制御情報を含む、項目１に記載の無線フレーム伝送方法。
（項目６）
前記第２シグナリングフィールドは８０ＭＨｚ帯域内で４０ＭＨｚ単位で繰り返し送信され、
特定の４０ＭＨｚ内では２０ＭＨｚ帯域内で独立的にエンコードされる制御情報を含む、項目１に記載の無線フレーム伝送方法。
（項目７）
前記第２シグナリングフィールドの前記第１ブロック及び前記第２ブロックはそれぞれブロック単位で個別的にエンコードされる、項目１に記載の無線フレーム伝送方法。
（項目８）
前記第２シグナリングフィールドの前記第１ブロック及び前記第２ブロックはそれぞれ個別的なＣＲＣ（Ｃｙｃｌｉｃ  Ｒｅｄｕｎｄａｎｃｙ  Ｃｈｅｃｋ）を含む、項目１に記載の無線フレーム伝送方法。
（項目９）
前記第１シグナリングフィールドは、前記第２シグナリングフィールドが送信されるリソース領域についての情報を含む、項目１に記載の無線フレーム伝送方法。
（項目１０）
無線ＬＡＮ（ＷＬＡＮ）システムにおいて複数のステーション（ＳＴＡ）に無線フレームを送信する無線装置であって、
シグナリングフィールド及びデータフィールドを含むフレームとして、前記シグナリングフィールドは前記フレーム解釈のための制御情報を含む第１シグナリングフィールド（ＳＩＧ  Ａフィールド）及び前記複数のＳＴＡのそれぞれに個別的な制御情報を含む第２シグナリングフィールド（ＳＩＧ  Ｂフィールド）を含み、前記第２シグナリングフィールドは前記複数のＳＴＡに共通した制御情報を含む第１ブロック及び前記複数のＳＴＡのそれぞれに対する制御情報を含む第２ブロックを含む、前記フレームを生成するように構成されるプロセッサ；及び
前記プロセッサによって生成されたフレームを前記複数のＳＴＡに送信する送受信機を含む、無線装置。
（項目１１）
前記第２シグナリングフィールドは一つの前記第１ブロックと前記第１ブロックに後続する一つ以上の前記第２ブロックを含み、
前記第２ブロックの数は前記複数のＳＴＡの数によって決定される、項目１０に記載の無線装置。
（項目１２）
前記第１ブロックは、前記複数のＳＴＡに共通した制御情報として前記複数のＳＴＡについてのリソース割当情報を含む、項目１０に記載の無線装置。
（項目１３）
前記リソース割当情報は、割り当てられるリソース割当単位の数、各リソース割当単位の大きさ、各リソース割当単位の周波数領域配置についての情報及び各リソース割当単位当たり割り当てられた使用者の数についての情報のうち一つ以上を含む、項目１２に記載の無線装置。
（項目１４）
前記プロセッサは前記第２シグナリングフィールドの制御情報を２０ＭＨｚ帯域ごとに独立的にエンコードする、項目１０に記載の無線装置。
（項目１５）
前記プロセッサは前記第２シグナリングフィールドの前記第１ブロック及び前記第２ブロックをそれぞれブロック単位で個別的にエンコードする、項目１０に記載の無線装置。
【発明の効果】
【００２１】
上述したような本発明によれば、多重使用者伝送用無線フレーム伝送において制御情報を効率的に送ることができる。
【図面の簡単な説明】
【００２２】
【図１】無線ＬＡＮシステムの構成の一例を示した図である。
【００２３】
【図２】無線ＬＡＮシステムの構成の他の例を示した図である。
【００２４】
【図３】無線ＬＡＮシステムで活用されるブロックＡｃｋメカニズムを説明するための図である。
【００２５】
【図４】一般的なリンクセットアップ（ｌｉｎｋ  ｓｅｔｕｐ）過程を説明するための図である。
【００２６】
【図５】能動的スキャニング法及び受動的スキャニング法を説明するための図である。
【００２７】
【図６】ＴＩＭを受信したステーションの動作を詳細に説明するための図である。
【図７】ＴＩＭを受信したステーションの動作を詳細に説明するための図である。
【図８】ＴＩＭを受信したステーションの動作を詳細に説明するための図である。
【００２８】
【図９】ＩＥＥＥ  ８０２．１１システムで使われるフレーム構造の一例を説明するための図である。
【図１０】ＩＥＥＥ  ８０２．１１システムで使われるフレーム構造の一例を説明するための図である。
【図１１】ＩＥＥＥ  ８０２．１１システムで使われるフレーム構造の一例を説明するための図である。
【図１２】ＩＥＥＥ  ８０２．１１システムで使われるフレーム構造の一例を説明するための図である。
【図１３】ＩＥＥＥ  ８０２．１１システムで使われるフレーム構造の一例を説明するための図である。
【００２９】
【図１４】ＭＡＣフレームフォーマットを示した図である。
【図１５】ＭＡＣフレームフォーマットを示した図である。
【図１６】ＭＡＣフレームフォーマットを示した図である。
【００３０】
【図１７】Ｓｈｏｒｔ  ＭＡＣフレームフォーマットを示した図である。
【００３１】
【図１８】本発明が適用可能なＩＥＥＥ  ８０２．１１ａｘシステムにおけるＰＰＤＵフォーマットを説明するための図である。
【図１９】本発明が適用可能なＩＥＥＥ  ８０２．１１ａｘシステムにおけるＰＰＤＵフォーマットを説明するための図である。
【００３２】
【図２０】本発明の一実施形態によってＨＥ−ＳＩＧ  Ｂを構成して送信する方法を説明するための図である。
【００３３】
【図２１】本発明の一実施形態によるリソース割当構造を説明するための図である。
【００３４】
【図２２】本発明の一実施形態によって特定の２０ＭＨｚ帯域のＨＥ  ＳＩＧ  Ｂが他の帯域に複製されて送信される形態を示す。
【００３５】
【図２３】本発明の一実施形態によって各２０ＭＨｚ帯域のＨＥ  ＳＩＧ  Ｂを互いに独立的に構成されて送信される形態を示す。
【００３６】
【図２４】本発明の他の実施形態によって広帯域でＨＥ−ＳＩＧ  Ｂを送信する方法を示す。
【図２５】本発明の他の実施形態によって広帯域でＨＥ−ＳＩＧ  Ｂを送信する方法を示す。
【００３７】
【図２６】本発明の一実施形態によって特定の帯域で全てのＳＴＡに対するＨＥ−ＳＩＧ  Ｂを一単位でエンコードする方式を示す図である。
【００３８】
【図２７】図２６のようにエンコードする場合、ＣＲＣとＴａｉｌ  ｂｉｔの位置を示した図である。
【００３９】
【図２８】本発明の他の一実施形態によって各ＳＴＡ別にＨＥ−ＳＩＧ  Ｂコンテンツを個別的にエンコードする方式を示す図である。
【００４０】
【図２９】個別エンコード方式においてＣＲＣ構成方式を説明するための図である。
【図３０】個別エンコード方式においてＣＲＣ構成方式を説明するための図である。
【００４１】
【図３１】本発明のさらに他の一実施形態によって特定の帯域でＨＥ−ＳＩＧ  Ｂをエンコードする方式を示す図である。
【００４２】
【図３２】上述したような方法を具現するための装置を説明するための図である。
【発明を実施するための形態】
【００４３】
以下、本発明による好適な実施形態を添付図面に基づいて詳細に説明する。添付図面に基づいて以下で開示する詳細な説明は本発明の例示的な実施形態を説明しようとするもので、本発明が実施可能な唯一の実施形態を示そうとするものではない。
【００４４】
以下の詳細な説明は本発明の完全な理解を提供するために具体的詳細事項を含む。しかし、当業者は本発明がこのような具体的な詳細事項なしにも実施可能であることが分かる。いくつかの場合、本発明の概念があいまいになることを避けるために、公知の構造及び装置は省略するとか、あるいはそれぞれの構造及び装置の核心機能を中心とするブロック図の形式で示す。
【００４５】
上述したように、以下の説明は無線ＬＡＮシステムにおいて広帯域を有するチャネルを効率的に活用するための方法及びそのための装置に関するものである。このために、まず本発明が適用される無線ＬＡＮシステムについて具体的に説明する。
【００４６】
図１は無線ＬＡＮシステムの構成の一例を示した図である。
【００４７】
図１に示したように、無線ＬＡＮシステムは一つ以上の基本サービスセット（Ｂａｓｉｃ  Ｓｅｒｖｉｃｅ  Ｓｅｔ：ＢＳＳ）を含む。ＢＳＳは成功的に同期化して互いに通信することができるステーション（Ｓｔａｔｉｏｎ；ＳＴＡ）の集合である。
【００４８】
ＳＴＡは媒体接続制御（Ｍｅｄｉｕｍ  Ａｃｃｅｓｓ  Ｃｏｎｔｒｏｌ；ＭＡＣ）と無線媒体に対する物理階層（Ｐｈｙｓｉｃａｌ  Ｌａｙｅｒ）インターフェースを含む論理個体であって、アクセスポイント（ａｃｃｅｓｓ  ｐｏｉｎｔ；ＡＰ）と非ＡＰ  ＳＴＡ（Ｎｏｎ−ＡＰ  Ｓｔａｔｉｏｎ）を含む。ＳＴＡのうち、使用者が操作する携帯用端末はＮｏｎ−ＡＰ  ＳＴＡであって、単にＳＴＡと言うときはＮｏｎ−ＡＰ  ＳＴＡを示すこともある。Ｎｏｎ−ＡＰ  ＳＴＡは、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、使用者装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、携帯用端末（Ｍｏｂｉｌｅ  Ｔｅｒｍｉｎａｌ）、又は移動加入者ユニット（Ｍｏｂｉｌｅ  Ｓｕｂｓｃｒｉｂｅｒ  Ｕｎｉｔ）などの他の名称とも呼ばれることができる。
【００４９】
そして、ＡＰは自分に結合されたＳＴＡ（Ａｓｓｏｃｉａｔｅｄ  Ｓｔａｔｉｏｎ）に無線媒体を介して分配システム（Ｄｉｓｔｒｉｂｕｔｉｏｎ  Ｓｙｓｔｅｍ；ＤＳ）への接続を提供する個体である。ＡＰは、集中制御器、基地局（Ｂａｓｅ  Ｓｔａｔｉｏｎ、ＢＳ）、Ｎｏｄｅ−Ｂ、ＢＴＳ（Ｂａｓｅ  Ｔｒａｎｓｃｅｉｖｅｒ  Ｓｙｓｔｅｍ）、又はサイト制御器などと呼ばれることもできる。
【００５０】
ＢＳＳはインフラストラクチャー（ｉｎｆｒａｓｔｒｕｃｔｕｒｅ）ＢＳＳと独立的（Ｉｎｄｅｐｅｎｄｅｎｔ）ＢＳＳ（ＩＢＳＳ）に区分することができる。
【００５１】
図１に示したＢＢＳはＩＢＳＳである。ＩＢＳＳはＡＰを含んでいないＢＳＳを意味し、ＡＰを含んでいないので、ＤＳへの接続が許されなくて自己完結的ネットワーク（ｓｅｌｆ−ｃｏｎｔａｉｎｅｄ  ｎｅｔｗｏｒｋ）を成す。
【００５２】
図２は無線ＬＡＮシステムの構成の他の例を示した図である。
【００５３】
図２に示したＢＳＳはインフラストラクチャーＢＳＳである。インフラストラクチャーＢＳＳは一つ以上のＳＴＡ及びＡＰを含む。インフラストラクチャーＢＳＳにおいて、非ＡＰ  ＳＴＡの間の通信はＡＰを介してなされることが原則であるが、非ＡＰ  ＳＴＡの間に直接リンク（ｌｉｎｋ）が設定された場合には、非ＡＰ  ＳＴＡの間で直接通信も可能である。
【００５４】
図２に示したように、複数のインフラストラクチャーＢＳＳはＤＳを介して互いに連結されることができる。ＤＳを介して連結された複数のＢＳＳを拡張サービスセット（Ｅｘｔｅｎｄｅｄ  Ｓｅｒｖｉｃｅ  Ｓｅｔ、ＥＳＳ）と言う。ＥＳＳに含まれるＳＴＡは互いに通信することができ、同じＥＳＳ内で非ＡＰ  ＳＴＡは切れなしに通信しながら一つのＢＳＳから他のＢＳＳに移動することができる。
【００５５】
ＤＳは複数のＡＰを連結するメカニズム（ｍｅｃｈａｎｉｓｍ）であって、必ずしもネットワークである必要はなく、所定の分配サービスを提供することができる限り、その形態に対しては何らの制限がない。例えば、ＤＳはメッシュ（ｍｅｓｈ）ネットワークのような無線ネットワークであってもよく、ＡＰを互いに連結する物理的な構造物であってもよい。
【００５６】
図３は、無線ＬＡＮシステムの例示的な構造を示す図である。図３では、ＤＳを含む基盤構造ＢＳＳの一例を示す。
【００５７】
図３の例示で、ＢＳＳ１及びＢＳＳ２がＥＳＳを構成する。無線ＬＡＮシステムにおいてステーションはＩＥＥＥ  ８０２．１１のＭＡＣ／ＰＨＹ規定に従って動作する機器である。ステーションは、ＡＰステーション及び非ＡＰ（ｎｏｎ−ＡＰ）ステーションを含む。Ｎｏｎ−ＡＰステーションは、ラップトップコンピュータ、移動電話機のように、一般的にユーザが直接扱う機器に相当する。図３の例示で、ステーション１、ステーション３、ステーション４はｎｏｎ−ＡＰステーションに相当し、ステーション２及びステーション５はＡＰステーションに相当する。
【００５８】
以下の説明でｎｏｎ−ＡＰステーションを、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装置（Ｕｓｅｒ  Ｅｑｕｉｐｍｅｎｔ；ＵＥ）、移動局（Ｍｏｂｉｌｅ  Ｓｔａｔｉｏｎ；ＭＳ）、移動端末（Ｍｏｂｉｌｅ  Ｔｅｒｍｉｎａｌ）、移動加入者局（Ｍｏｂｉｌｅ  Ｓｕｂｓｃｒｉｂｅｒ  Ｓｔａｔｉｏｎ；ＭＳＳ）などと呼ぶこともできる。また、ＡＰは、他の無線通信分野における基地局（Ｂａｓｅ  Ｓｔａｔｉｏｎ；ＢＳ）、ノードＢ（Ｎｏｄｅ−Ｂ）、発展したノードＢ（ｅｖｏｌｖｅｄ  Ｎｏｄｅ−Ｂ；ｅＮＢ）、基底送受信システム（Ｂａｓｅ  Ｔｒａｎｓｃｅｉｖｅｒ  Ｓｙｓｔｅｍ；ＢＴＳ）、フェムト基地局（Ｆｅｍｔｏ  ＢＳ）などに対応する概念である。
【００５９】
図４は一般的なリンクセットアップ（ｌｉｎｋ  ｓｅｔｕｐ）過程を説明するための図、図５は能動的スキャニング及び受動的スキャニング法を説明するための図である。
【００６０】
ステーションがネットワークに対してリンクをセットアップし、データを送受信するためには、まずネットワークを発見（ｄｉｓｃｏｖｅｒｙ）し、認証（ａｕｔｈｅｎｔｉｃａｔｉｏｎ）を行い、アソシエーション（ａｓｓｏｃｉａｔｉｏｎ）を結び（ｅｓｔａｂｌｉｓｈ）、保安（ｓｅｃｕｒｉｔｙ）のための認証過程などを経なければならない。リンクセットアップ過程をセッション開始過程、セッションセットアップ過程とも称することができる。また、リンクセットアップ過程の発見、認証、アソシエーション、保安設定の過程を通称してアソシエーション過程と称することもできる。
【００６１】
図４を参照して例示的なリンクセットアップ過程について説明する。
【００６２】
段階Ｓ４１０で、ステーションはネットワーク発見動作を行うことができる。ネットワーク発見動作はステーションのスキャニング（ｓｃａｎｎｉｎｇ）動作を含むことができる。すなわち、ステーションがネットワークにアクセスするためには参加可能なネットワークを捜さなければならない。ステーションは無線ネットワークに参加する前に互換可能なネットワークを識別しなければならなく、特定の領域に存在するネットワークの識別過程をスキャニングと言う。
【００６３】
スキャニング方式には能動的スキャニング（ａｃｔｉｖｅ  ｓｃａｎｎｉｎｇ）と受動的スキャニング（ｐａｓｓｉｖｅ  ｓｃａｎｎｉｎｇ）がある。図４では例示的に能動的スキャニング過程を含むネットワーク発見動作を示すが、受動的スキャニング過程で動作することもできる。
【００６４】
能動的スキャニングでスキャニングを行うステーションはチャネルを変えながら周辺にどのＡＰが存在するかを探索するためにプローブ要求フレーム（ｐｒｏｂｅ  ｒｅｑｕｅｓｔ  ｆｒａｍｅ）を送信し、これに対する応答を待つ。応答者（ｒｅｓｐｏｎｄｅｒ）はプローブ要求フレームを送信したステーションにプローブ要求フレームに対する応答としてプローブ応答フレーム（ｐｒｏｂｅ  ｒｅｓｐｏｎｓｅ  ｆｒａｍｅ）を送信する。ここで、応答スキャニングされているチャネルのＢＳＳで最後にビーコンフレーム（ｂｅａｃｏｎ  ｆｒａｍｅ）を送信したステーションであってもよい。ＢＳＳではＡＰがビーコンフレームを送信するのでＡＰが応答者となり、ＩＢＳＳではＩＢＳＳ内のステーションが循環しながらビーコンフレームを送信するので、応答者が一定しない。例えば、１番チャネルでプローブ要求フレームを送信し１番チャネルでプローブ応答フレームを受信したステーションは、受信したプローブ応答フレームに含まれたＢＳＳ関連情報を保存し、次のチャネル（例えば、２番チャネル）に移動して同じ方法でスキャニング（すなわち、２番チャネル上でプローブ要求／応答送受信）を行うことができる。
【００６５】
また、図５を参照すると、スキャニング動作は受動的スキャニング方式で行うこともできる。受動的スキャニングでスキャニングを行うステーションはチャネルを変えながらビーコンフレームを待つ。ビーコンフレームはＩＥＥＥ  ８０２．１１での管理フレーム（ｍａｎａｇｅｍｅｎｔ  ｆｒａｍｅ）の一つであり、無線ネットワークの存在を知らせ、スキャニングを行うステーションにとって無線ネットワークを捜して無線ネットワークに参加することができるように周期的に送信される。ＢＳＳでＡＰがビーコンフレームを周期的に送信する役目をし、ＩＢＳＳではＩＢＳＳ内のステーションが循環しながらビーコンフレームを送信する。スキャニングを行うステーションは、ビーコンフレームを受信すれば、ビーコンフレームに含まれたＢＳＳについての情報を保存し、他のチャネルに移動しながら各チャネルでビーコンフレーム情報を記録する。ビーコンフレームを受信したステーションは、受信したビーコンフレームに含まれたＢＳＳ関連情報を保存し、次のチャネルに移動し、同じ方法で次のチャネルでスキャニングを行うことができる。
【００６６】
能動的スキャニングと受動的スキャニングを比較すると、能動的スキャニングが受動的スキャニングよりディレイ（ｄｅｌａｙ）及び電力消耗が少ない利点がある。
【００６７】
ステーションがネットワークを発見した後、段階Ｓ４２０で認証過程を行うことができる。このような認証過程は、後述する段階Ｓ４４０の保安セットアップ動作と明確に区分するために、一番目認証（ｆｉｒｓｔ  ａｕｔｈｅｎｔｉｃａｔｉｏｎ）過程と称することができる。
【００６８】
認証過程は、ステーションが認証要求フレーム（ａｕｔｈｅｎｔｉｃａｔｉｏｎ  ｒｅｑｕｅｓｔ  ｆｒａｍｅ）をＡＰに送信し、これに応答してＡＰが認証応答フレーム（ａｕｔｈｅｎｔｉｃａｔｉｏｎ  ｒｅｓｐｏｎｓｅ  ｆｒａｍｅ）をステーションに送信する過程を含む。認証要求／応答に使われる認証フレーム（ａｕｔｈｅｎｔｉｃａｔｉｏｎ  ｆｒａｍｅ）は管理フレームに相当する。
【００６９】
認証フレームは、認証アルゴリズム番号（ａｕｔｈｅｎｔｉｃａｔｉｏｎ  ａｌｇｏｒｉｔｈｍ  ｎｕｍｂｅｒ）、認証トランザクションシーケンス番号（ａｕｔｈｅｎｔｉｃａｔｉｏｎ  ｔｒａｎｓａｃｔｉｏｎ  ｓｅｑｕｅｎｃｅ  ｎｕｍｂｅｒ）、状態コード（ｓｔａｔｕｓ  ｃｏｄｅ）、検問テキスト（ｃｈａｌｌｅｎｇｅ  ｔｅｘｔ）、ＲＳＮ（Ｒｏｂｕｓｔ  Ｓｅｃｕｒｉｔｙ  Ｎｅｔｗｏｒｋ）、有限循環グループ（Ｆｉｎｉｔｅ  Ｃｙｃｌｉｃ  Ｇｒｏｕｐ）などについての情報を含むことができる。これは認証要求／応答フレームに含まれることができる情報の一部の例示であり、他の情報に取り替えられるか、追加の情報がさらに含まれることができる。
【００７０】
ステーションは認証要求フレームをＡＰに送信することができる。ＡＰは受信された認証要求フレームに含まれた情報に基づき、該当ステーションに対する認証を許すかを決定することができる。ＡＰは認証処理の結果を認証応答フレームを介してステーションに提供することができる。
【００７１】
ステーションが成功的に認証された後、段階Ｓ４３０でアソシエーション過程を実行することができる。アソシエーション過程は、ステーションがアソシエーション要求フレーム（ａｓｓｏｃｉａｔｉｏｎｒｅ  ｑｕｅｓｔ  ｆｒａｍｅ）をＡＰに送信し、これに応答してＡＰがアソシエーション応答フレーム（ａｓｓｏｃｉａｔｉｏｎ  ｒｅｓｐｏｎｓｅ  ｆｒａｍｅ）をステーションに送信する過程を含む。
【００７２】
例えば、アソシエーション要求フレームは、多様な能力（ｃａｐａｂｉｌｉｔｙ）についての情報、ビーコン聴取間隔（ｌｉｓｔｅｎ  ｉｎｔｅｒｖａｌ）、ＳＳＩＤ（ｓｅｒｖｉｃｅ  ｓｅｔ  ｉｄｅｎｔｉｆｉｅｒ）、支援レート（ｓｕｐｐｏｒｔｅｄ  ｒａｔｅｓ）、支援チャネル（ｓｕｐｐｏｒｔｅｄ  ｃｈａｎｎｅｌｓ）、ＲＳＮ、移動性ドメイン、支援オペレーティングクラス（ｓｕｐｐｏｒｔｅｄ  ｏｐｅｒａｔｉｎｇ  ｃｌａｓｓｅｓ）、ＴＩＭ放送要求（Ｔｒａｆｆｉｃ  Ｉｎｄｉｃａｔｉｏｎ  Ｍａｐ  Ｂｒｏａｄｃａｓｔ  ｒｅｑｕｅｓｔ）、相互作用（ｉｎｔｅｒｗｏｒｋｉｎｇ）サービス能力などについての情報を含むことができる。
【００７３】
例えば、アソシエーション応答フレームは、多様な能力についての情報、状態コード、ＡＩＤ（Ａｓｓｏｃｉａｔｉｏｎ  ＩＤ）、支援レート、ＥＤＣＡ（Ｅｎｈａｎｃｅｄ  Ｄｉｓｔｒｉｂｕｔｅｄ  Ｃｈａｎｎｅｌ  Ａｃｃｅｓｓ）パラメータセット、ＲＣＰＩ（Ｒｅｃｅｉｖｅｄ  Ｃｈａｎｎｅｌ  Ｐｏｗｅｒ  Ｉｎｄｉｃａｔｏｒ）、ＲＳＮＩ（Ｒｅｃｅｉｖｅｄ  Ｓｉｇｎａｌ  ｔｏ  Ｎｏｉｓｅ  Ｉｎｄｉｃａｔｏｒ）、移動性ドメイン、タイムアウト間隔（アソシエーションカムバック時間（ａｓｓｏｃｉａｔｉｏｎ  ｃｏｍｅｂａｃｋ  ｔｉｍｅ））、重畳（ｏｖｅｒｌａｐｐｉｎｇ）ＢＳＳスキャンパラメータ、ＴＩＭ放送応答、ＱｏＳマップなどの情報を含むことができる。
【００７４】
これはアソシエーション要求／応答フレームに含まれることができる情報の一部の例示であり、他の情報に取り替えられるか、追加の情報がさらに含まれることができる。
【００７５】
ステーションがネットワークに成功的にアソシエーションされた後、段階Ｓ５４０で保安セットアップ過程を行うことができる。段階Ｓ４４０の保安セットアップ過程はＲＳＮＡ（Ｒｏｂｕｓｔ  Ｓｅｃｕｒｉｔｙ  Ｎｅｔｗｏｒｋ  Ａｓｓｏｃｉａｔｉｏｎ）要求／応答による認証過程と言うこともでき、前記段階Ｓ５２０の認証過程を第一認証（ｆｉｒｓｔ  ａｕｔｈｅｎｔｉｃａｔｉｏｎ）過程と言い、段階Ｓ５４０の保安セットアップ過程を単に認証過程とも言うこともできる。
【００７６】
段階Ｓ４４０の保安セットアップ過程は、例えばＥＡＰＯＬ（Ｅｘｔｅｎｓｉｂｌｅ  Ａｕｔｈｅｎｔｉｃａｔｉｏｎ  Ｐｒｏｔｏｃｏｌ  ｏｖｅｒ  ＬＡＮ）フレームを介した４ウェイ（ｗａｙ）ハンドシェイキングによって、プライベートキーセットアップ（ｐｒｉｖａｔｅ  ｋｅｙ  ｓｅｔｕｐ）を行う過程を含むことができる。また、保安セットアップ過程はＩＥＥＥ  ８０２．１１標準で定義しない保安方式で行うこともできる。
【００７７】
図６〜図８はＴＩＭを受信したステーションの動作を詳細に説明するための図である。
【００７８】
図６を参照すると、ステーションは、ＡＰからＴＩＭ（Ｔｒａｆｆｉｃ  Ｉｎｄｉｃａｔｉｏｎ  Ｍａｐ）を含むビーコンフレームを受信するために、スリップ状態からアウェイク状態に転換し、受信したＴＩＭ要素を解釈することによって自分に送信されるべきバッファーされたトラフィックがあることが分かる。ステーションはＰＳ−Ｐｏｌｌフレーム伝送のための媒体アクセスのために他のステーションと競争（ｃｏｎｔｅｎｄｉｎｇ）を行った後、ＡＰにデータフレーム伝送を要求するために、ＰＳ−Ｐｏｌｌフレームを送信することができる。ステーションによって送信されたＰＳ−Ｐｏｌｌフレームを受信したＡＰはステーションにフレームを送信することができる。ステーションはデータフレームを受信し、これに対する確認応答（ＡＣＫ）フレームをＡＰに送信することができる。その後、ステーションは再びスリップ状態に転換することができる。
【００７９】
図６のように、ＡＰはステーションからＰＳ−Ｐｏｌｌフレームを受信してから所定の時間（例えば、ＳＩＦＳ（Ｓｈｏｒｔ  Ｉｎｔｅｒ−Ｆｒａｍｅ  Ｓｐａｃｅ））の後にデータフレームを送信する即時応答（ｉｍｍｅｄｉａｔｅ  ｒｅｓｐｏｎｓｅ）方式で動作することができる。一方、ＡＰがＰＳ−Ｐｏｌｌフレームを受信した後、ステーションに送信すべきデータフレームをＳＩＦＳ時間の間に準備することができなかった場合には、遅延された応答（ｄｅｆｅｒｒｅｄ  ｒｅｓｐｏｎｓｅ）方式で動作することができ、これについては図７を参照して説明する。
【００８０】
図７の例示において、ステーションがスリップ状態からアウェイク状態に転換してＡＰからＴＩＭを受信し、競争によってＰＳ−ＰｏｌｌフレームをＡＰに送信する動作は図６の例示と同様である。ＡＰがＰＳ−Ｐｏｌｌフレームを受信してからもＳＩＦＳの間にデータフレームを準備することができなかった場合、データフレームを送信する代わりにＡＣＫフレームをステーションに送信することができる。ＡＰは、ＡＣＫフレームの伝送後にデータフレームが準備されれば、競争を行った後、データフレームをステーションに送信することができる。ステーションはデータフレームを成功的に受信したことを示すＡＣＫフレームをＡＰに送信し、スリップ状態に転換することができる。
【００８１】
図８はＡＰがＤＴＩＭを送信する例示に対するものである。ステーションはＡＰからＤＴＩＭ要素を含むビーコンフレームを受信するために、スリップ状態からアウェイク状態に転換することができる。ステーションは受信したＤＴＩＭを介してマルチキャスト／ブロードキャストフレームが送信されるはずであることが分かる。ＡＰはＤＴＩＭを含むビーコンフレームの伝送後、ＰＳ−Ｐｏｌｌフレームの送受信動作なしに直ぐデータ（すなわち、マルチキャスト／ブロードキャストフレーム）を送信することができる。ステーションはＤＴＩＭを含むビーコンフレームを受けた後に続いてアウェイク状態を維持するうちにデータを受信し、データ受信が完了した後に再びスリップ状態に転換することができる。
【００８２】
図９〜図１３はＩＥＥＥ  ８０２．１１システムで使われるフレーム構造の一例を説明するための図である。
【００８３】
ステーション（ＳＴＡ）はＰＰＤＵ（Ｐｈｙｓｉｃａｌ  Ｌａｙｅｒ  Ｐａｃｋｅｔ  Ｄａｔａ  Ｕｎｉｔ）を受信することができる。この時、ＰＰＤＵフレームフォーマットは、ＳＴＦ（Ｓｈｏｒｔ  Ｔｒａｉｎｉｎｇ  Ｆｉｅｌｄ）、ＬＴＦ（Ｌｏｎｇ  Ｔｒａｉｎｉｎｇ  Ｆｉｅｌｄ）、ＳＩＧ（ＳＩＧＮＡＬ）フィールド、及びデータ（Ｄａｔａ）フィールドを含んでなることができる。この時、一例として、ＰＰＤＵフレームフォーマットの種類に基づいてＰＰＤＵフレームフォーマットが設定されることができる。
【００８４】
一例として、ｎｏｎ−ＨＴ（Ｈｉｇｈ  Ｔｈｒｏｕｇｈｐｕｔ）ＰＰＤＵフレームフォーマットはＬ−ＳＴＦ（Ｌｅｇａｃｙ−ＳＴＦ）、Ｌ−ＬＴＦ（Ｌｅｇａｃｙ−ＬＴＦ）、ＳＩＧフィールド及びデータフィールドのみで構成可能である。
【００８５】
また、ＰＰＤＵフレームフォーマットの種類はＨＴ−ｍｉｘｅｄフォーマットＰＰＤＵ及びＨＴ−ｇｒｅｅｎｆｉｅｌｄフォーマットＰＰＤＵのいずれか一つに設定されることができる。この時、上述したＰＰＤＵフォーマットでは、ＳＩＧフィールドとデータフィールドの間に追加の（又は他の種類の）ＳＴＦ、ＬＴＦ、ＳＩＧフィールドがさらに含まれることもできる。
【００８６】
また、図１０を参照すると、ＶＨＴ（Ｖｅｒｙ  Ｈｉｇｈ  Ｔｈｒｏｕｇｈｐｕｔ）ＰＰＤＵフォーマットが設定されることができる。この時、ＶＨＴ  ＰＰＤＵフォーマットでもＳＩＧフィールドとデータフィールドの間に追加的な（又は他の種類の）ＳＴＦ、ＬＴＦ、ＳＩＧフィールドが含まれることもできる。より詳細に、ＶＨＴ  ＰＰＤＵフォーマットでは、Ｌ−ＳＩＧフィールドとデータフィールドの間にＶＨＴ−ＳＩＧ−Ａフィールド、ＶＨＴ−ＳＴＦフィールド、ＶＨＴ−ＬＴＦ及びＶＨＴ  ＳＩＧ−Ｂフィールドの少なくともいずれか一つ以上が含まれることができる。
【００８７】
この時、ＳＴＦは、信号検出、ＡＧＣ（Ａｕｔｏｍａｔｉｃ  Ｇａｉｎ  Ｃｏｎｔｒｏｌ）、ダイバーシティ選択、精密な時間同期などのための信号であってもよい。また、ＬＴＦは、チャネル推定、周波数誤差推定などのための信号であってもよい。この時、ＳＴＦとＬＴＦを合わせてＰＬＣＰプリアンブル（ｐｒｅａｍｂｌｅ）と称することができ、ＰＬＣＰプリアンブルはＯＦＤＭ物理階層の同期化及びチャネル推定のための信号であると言える。
【００８８】
また、図１１を参照すると、ＳＩＧフィールドはＲＡＴＥフィールド及びＬＥＮＧＴＨフィールドなどを含むことができる。ＲＡＴＥフィールドはデータの変調及びコーディングレートについての情報を含むことができる。ＬＥＮＧＴＨフィールドはデータの長さについての情報を含むことができる。さらに、ＳＩＧフィールドはパリティ（ｐａｒｉｔｙ）ビット、ＳＩＧ  ＴＡＩＬビットなどを含むことができる。
【００８９】
データフィールドはＳＥＲＶＩＣＥフィールド、ＰＳＤＵ（ＰＬＣＰ  Ｓｅｒｖｉｃｅ  Ｄａｔａ  Ｕｎｉｔ）、ＰＰＤＵ  ＴＡＩＬビットを含むことができ、必要な場合には、パッディングビットも含むことができる。
【００９０】
この時、図１２を参照すると、ＳＥＲＶＩＣＥフィールドの一部ビットは受信端でのディスクランブラの同期化のために使われることができ、一部のビットは留保された（Ｒｅｓｅｒｖｅｄ）ビットで構成されることができる。ＰＳＤＵはＭＡＣ階層で定義されるＭＡＣ  ＰＤＵ（Ｐｒｏｔｏｃｏｌ  Ｄａｔａ  Ｕｎｉｔ）に対応し、上位階層で生成／利用されるデータを含むことができる。ＰＰＤＵ  ＴＡＩＬビットはエンコーダを０状態にリターンするために用いられることができる。パッディングビットはデータフィールドの長さを所定の単位で合わせるために用いられることができる。
【００９１】
また、一例として、上述したように、ＶＨＴ  ＰＰＤＵフォーマットは追加の（又は他の種類の）ＳＴＦ、ＬＴＦ、ＳＩＧフィールドが含まれることもできる。この時、Ｌ−ＳＴＦ、Ｌ−ＬＴＦ、Ｌ−ＳＩＧはＶＨＴ  ＰＰＤＵのＮｏｎ−ＶＨＴに対する部分であってもよい。この時、ＶＨＴ  ＰＰＤＵで、ＶＨＴ−ＳＩＧ−Ａ、ＶＨＴ−ＳＴＦ、ＶＨＴ−ＬＴＦ及びＶＨＴ−ＳＩＧ−ＢはＶＨＴに対する部分であってもよい。すなわち、ＶＨＴ  ＰＰＤＵはＮｏｎ−ＶＨＴに対するフィールド及びＶＨＴフィールドに対する領域がそれぞれ定義されていることもある。この時、一例として、ＶＨＴ−ＳＩＧ−ＡはＶＨＴ  ＰＰＤＵを解釈するための情報を含むことができる。
【００９２】
この時、一例として、図１３を参照すると、ＶＨＴ−ＳＩＧ−ＡはＶＨＴ  ＳＩＧ−Ａ１（図１３の（ａ））及びＶＨＴ  ＳＩＧ−Ａ２（図１３の（ｂ））で構成されることができる。この時、ＶＨＴ  ＳＩＧ−Ａ１及びＶＨＴ  ＳＩＧ−Ａ２はそれぞれ２４データビットで構成されることができ、ＶＨＴ  ＳＩＧ−Ａ１がＶＨＴ  ＳＩＧ−Ａ２より先に送信できる。この時、ＶＨＴ  ＳＩＧ−Ａ１にはＢＷ、ＳＴＢＣ、Ｇｒｏｕｐ  ＩＤ、ＮＳＴＳ／Ｐａｒｔｉａｌ  ＡＩＤ、ＴＸＯＰ＿ＰＳ＿ＮＯＴ＿ＡＬＬＯＷＥＤフィールド及びＲｅｓｅｒｖｅｄフィールドなどを含むことができる。また、ＶＨＴ  ＳＩＧ−Ａ２はＳｈｏｒｔ  ＧＩ、Ｓｈｏｒｔ  ＧＩ  ＮＳＹＭ  Ｄｉｓａｍｂｉｇｕａｔｉｏｎ、ＳＵ／ＭＵ［０］Ｃｏｄｉｎｇ、ＬＤＰＣ  Ｅｘｔｒａ  ＯＦＤＭ  Ｓｙｍｂｏｌ、ＳＵ  ＶＨＴ−ＭＣＳ／ＭＵ［１−３］Ｃｏｄｉｎｇ、Ｂｅａｍｆｏｒｍｅｄ、ＣＲＣ、Ｔａｉｌ及びＲｅｓｅｒｖｅｄフィールドなどを含むことができる。これにより、ＶＨＴ  ＰＰＤＵについての情報を確認するようにすることができる。
【００９３】
図１４〜図１６はＭＡＣフレームフォーマットを示した図である。
【００９４】
上述したＰＰＤＵフォーマットのいずれか一つに基づくＰＰＤＵをステーションが受信することができる。この時、ＰＰＤＵフレームフォーマットのデータパートのＰＳＤＵにはＭＡＣ  ＰＤＵを含むことができる。この時、ＭＡＣ  ＰＤＵは多様なＭＡＣフレームフォーマットによって定義され、基本的なＭＡＣフレームはＭＡＣヘッダー、フレームボディ、及びＦＣＳ（Ｆｒａｍｅ  Ｃｈｅｃｋ  Ｓｅｑｕｅｎｃｅ）で構成されることができる。
【００９５】
この時、一例として、図１４を参照すると、ＭＡＣヘッダーはフレーム制御（Ｆｒａｍｅ  Ｃｏｎｔｒｏｌ）フィールド、区間（Ｄｕｒａｔｉｏｎ）／ＩＤフィールド、住所（Ａｄｄｒｅｓｓ）フィールド、Ｓｅｑｕｅｎｃｅ  Ｃｏｎｔｒｏｌ、ＱｏＳ  Ｃｏｎｔｒｏｌ、ＨＴ  Ｃｏｎｔｒｏｌサブフィールドなどを含むことができる。この時、ＭＡＣヘッダーのうち、フレーム制御（Ｆｒａｍｅ  Ｃｏｎｔｒｏｌ）フィールドはフレーム送信／受信に必要な制御情報を含むことができる。区間／ＩＤフィールドは該当フレームなどを送信するための時間に設定されることができる。また、住所フィールドは送信者及び受信者についての識別情報などを含むことができ、これについては後述する。また、Ｓｅｑｕｅｎｃｅ  Ｃｏｎｔｒｏｌ、ＱｏＳ  Ｃｏｎｔｒｏｌ、ＨＴ  ＣｏｎｔｒｏｌフィールドなどはＩＥＥＥ  ８０２．１１標準文書を参照することができる。
【００９６】
この時、一例として、ＨＴ  ＣｏｎｔｒｏｌフィールドはＨＴ  ｖａｒｉａｎｔ及びＶＨＴ  ｖａｒｉａｎｔの二つの形態（ｔｗｏ  ｆｏｒｍ）を有することができる。この時、それぞれの形態によってＨＴ  Ｃｏｎｔｒｏｌフィールドに含まれた情報が違うことができる。また、図１５及び図１６を参照すると、ＨＴ  ＣｏｎｔｒｏｌのＶＨＴ  ｓｕｂｆｉｅｌｄはＨＴ  ＣｏｎｔｒｏｌフィールドがＨＴ  ｖａｒｉａｎｔ及びＶＨＴ  ｖａｒｉａｎｔの中でどの形態であるかを指示するフィールドであってもよい。この時、一例として、ＶＨＴ  ｓｕｂｆｉｅｌｄが“０”値を有すればＨＴ  ｖａｒｉａｎｔ形態であってもよく、ＶＨＴ  ｓｕｂｆｉｅｌｄが“１”値を有すればＶＨＴ  ｖａｒｉａｎｔ形態であってもよい。
【００９７】
この時、一例として、図１５を参照すると、ＨＴ  ＣｏｎｔｒｏｌフィールドがＨＴ  ｖａｒｉａｎｔ形態であれば、Ｌｉｎｋ  Ａｄａｐｔａｔｉｏｎ  Ｃｏｎｔｒｏｌ、Ｃａｌｉｂｒａｔｉｏｎ  Ｐｏｓｉｔｉｏｎ、Ｃａｌｉｂｒａｔｉｏｎ  Ｓｅｑｕｅｎｃｅ、ＣＳＩ／Ｓｔｅｅｒｉｎｇ、ＨＴ  ＮＤＰ  Ａｎｎｏｕｎｃｅｍｅｎｔ、ＡＣ  ｃｏｎｓｔｒａｉｎｔ、ＲＤＧ／Ｍｏｒｅ  ＰＰＤＵ及びＲｅｓｅｒｖｅｄフィールドなどを含むことができる。この時、一例として、図１５のｂを参照すると、Ｌｉｎｋ  Ａｄａｐｔａｔｉｏｎ  ＣｏｎｔｒｏｌフィールドはＴＲＱ、ＭＡＩ、ＭＦＳＩ及びＭＦＢ／ＡＳＥＬＣフィールドなどを含むことができ、もっと詳細な事項はＩＥＥＥ  ８０２．１１標準文書を参考することができる。
【００９８】
また、一例として、図１６を参照すると、ＨＴ  ＣｏｎｔｒｏｌフィールドがＶＨＴ  ｖａｒｉａｎｔ形態であれば、ＭＲＱ、ＭＳＩ、ＭＦＳＩ／ＧＩＤ−ＬＭ、ＭＦＢ  ＧＩＤ−Ｈ、Ｃｏｄｉｎｇ  Ｔｙｐｅ、ＦＢ  Ｔｘ  Ｔｙｐｅ、ＦＢ  Ｔｘ  Ｔｙｐｅ、Ｕｎｓｏｌｉｃｉｔｅｄ  ＭＦＢ、ＡＣ  ｃｏｎｓｔｒａｉｎｔ、ＲＤＧ／Ｍｏｒｅ  ＰＰＤＵ及びＲｅｓｅｒｖｅｄフィールドなどを含むことができる。この時、一例として、図１６のｂを参照すると、ＭＦＢフィールドはＶＨＴＮ＿ＳＴＳ、ＭＣＳ、ＢＷ、ＳＮＲフィールドなどを含むことができる。
【００９９】
図１７はＳｈｏｒｔ  ＭＡＣフレームフォーマットを示した図である。ＭＡＣフレームは必要によって不要な情報を減らして無線リソースの浪費を防ぐためにＳｈｏｒｔ  ＭＡＣフレーム形態に構成されることができる。この時、一例として、図１７を参照すると、ＳｈｏｒｔフレームのＭＡＣヘッダーにはフレーム制御（Ｆｒａｍｅ  Ｃｏｎｔｒｏｌ）フィールド、Ａ１フィールド及びＡ２フィールドはいつも含まれることができる。また、Ｓｅｑｕｅｎｃｅ  Ｃｏｎｔｒｏｌフィールド、Ａ３フィールド及びＡ４フィールドは選択的に含まれることができる。これにより、ＭＡＣフレームで不要な情報を省略して無線リソースの浪費を防ぐことができる。
【０１００】
この時、一例として、ＭＡＣヘッダーのフレーム制御フィールドをよく調べると、Ｐｒｏｔｏｃｏｌ  Ｖｅｒｓｉｏｎ、Ｔｙｐｅ、ＰＴＩＤ／Ｓｕｂｔｙｐｅ、Ｆｒｏｍ  ＤＳ、Ｍｏｒｅ  Ｆｒａｇｍｅｎｔ、Ｐｏｗｅｒ  Ｍａｎａｇｅｍｅｎｔ、Ｍｏｒｅ  Ｄａｔａ、Ｐｒｏｔｅｃｔｅｄ  Ｆｒａｍｅ、Ｅｎｄ  ｏｆ  Ｓｅｒｖｉｃｅ  Ｐｅｒｉｏｄ、Ｒｅｌａｙｅｄ  Ｆｒａｍｅ及びＡｃｋ  Ｐｏｌｉｃｙフィールドなどを含むことができる。フレーム制御フィールドのそれぞれのサブフィールドの内容はＩＥＥＥ  ８０２．１１標準文書を参照することができる。
【０１０１】
一方、ＭＡＣヘッダーのフレーム制御フィールドのうちタイプ（Ｔｙｐｅ）フィールドは３ビットで構成され、０〜３の値はそれぞれの住所情報に対する構成を含んでおり、４−７は留保されていることもある。これに関連し、本発明では留保されている値によって新しい住所情報を指示することができ、これについては後述する。
【０１０２】
また、ＭＡＣヘッダーの制御フレームフィールドのうちＦｒｏｍ  ＤＳフィールドは１ビットで構成されることができる。
【０１０３】
また、その他に、Ｍｏｒｅ  Ｆｒａｇｍｅｎｔ、Ｐｏｗｅｒ  Ｍａｎａｇｅｍｅｎｔ、Ｍｏｒｅ  Ｄａｔａ、Ｐｒｏｔｅｃｔｅｄ  Ｆｒａｍｅ、Ｅｎｄ  ｏｆ  Ｓｅｒｖｉｃｅ  Ｐｅｒｉｏｄ、Ｒｅｌａｙｅｄ  Ｆｒａｍｅ及びＡｃｋ  Ｐｏｌｉｃｙフィールドなどは１ビットで構成されることができる。この時、Ａｃｋ  ＰｏｌｉｃｙフィールドはＡＣＫ／ＮＡＣＫ情報であり、１ビットで構成されることができる。
【０１０４】
上述した形態に構成されるフレームを含むステーションに関連し、ＶＨＴ  ＡＰ（Ａｃｃｅｓｓ  Ｐｏｉｎｔ）ステーションは一つのＢＳＳでＴＸＯＰ（Ｔｒａｎｓｍｉｔ  Ｏｐｐｏｒｔｕｎｉｔｙ）ｐｏｗｅｒ  ｓａｖｅモードで動作するｎｏｎ−ＡＰ  ＶＨＴステーションを支援することができる。この時、一例として、ｎｏｎ−ＡＰ  ＶＨＴステーションは活性化（ａｃｔｉｖｅ）状態であり、ＴＸＯＰ  ｐｏｗｅｒ  ｓａｖｅモードで動作することができる。この時、ＡＰ  ＶＨＴステーションはＴＸＯＰの間にｎｏｎ−ＡＰ  ＶＨＴステーションを非活性化（ｄｏｚｅ）状態に転換するようにすることができる。この時、一例として、ＡＰ  ＶＨＴステーションはＴＸＶＥＣＴＯＲパラメータであるＴＸＯＰ＿ＰＳ＿ＮＯＴ＿ＡＬＬＯＷＥＤを０値に設定し、ＶＨＴ  ＰＰＤＵを送信することにより、非活性化状態に転換するようにすることを指示することができる。この時、ＡＰ  ＶＨＴステーションによってＶＨＴ  ＰＰＤＵと一緒に送信されるＴＸＶＥＣＴＯＲ内にあるパラメータはＴＸＯＰの間に１値から０値に変更されて維持されることができる。これにより、残ったＴＸＯＰの間に省電力を行うことができる。
【０１０５】
反対に、ＴＸＯＰ＿ＰＳ＿ＮＯＴ＿ＡＬＬＯＷＥＤが１値に設定されて省電力を行わない場合には、ＴＸＶＥＣＴＯＲ内にあるパラメータ値を変更せずに維持することができる。
【０１０６】
また、一例として、上述したように、ｎｏｎ−ＡＰ  ＶＨＴステーションがＴＸＯＰ  ｐｏｗｅｒ  ｓａｖｅ  ｍｏｄｅでＴＸＯＰの間に非活性化に転換する場合は、次の条件を満たす場合であってもよい。
【０１０７】
−ＶＨＴ  ＭＵ  ＰＰＤＵを受信した場合であって、ステーションがＲＸＶＥＣＴＯＲパラメータであるＧｒｏｕｐ＿ＩＤによってＧｒｏｕｐのメンバーとして指示されない場合
【０１０８】
−ＳＵＰＰＤＵを受信した場合であって、ステーションがＲＸＶＥＣＴＯＲパラメータであるＰＡＲＴＩＡＬ＿ＡＩＤが０ではないかステーションのｐａｒｔｉａｌ  ＡＩＤと一致しない場合
【０１０９】
−ステーションがＲＸＶＥＣＴＯＲパラメータであるＰＡＲＴＩＡＬ＿ＡＩＤがステーションのｐａｒｔｉａｌ  ＡＩＤと一致すると判断するが、ＭＡＣヘッダーにある受信者住所がステーションのＭＡＣアドレスと一致しない場合
【０１１０】
−ステーションがＲＸＶＥＣＴＯＲパラメータであるＧＲＯＵＰ＿ＩＤによってグループのメンバーとして指示されるが、ＲＸＶＥＣＴＯＲパラメータであるＮＵＭ＿ＳＴＳが０に設定された場合
【０１１１】
−ＶＨＴ  ＮＤＰ  Ａｎｎｏｕｎｃｅｍｅｎｔフレームを受信し、ステーションがＲＸＶＥＣＴＯＲパラメータであるＰＡＲＴＩＡＬ＿ＡＩＤが０に設定され、ステーションのＩｎｆｏ  ｆｉｅｌｄにあるＡＩＤが一致しない場合
【０１１２】
−ステーションが、Ｍｏｒｅ  Ｄａｔａ  ｆｉｅｌｄが０に設定され、Ａｃｋ  Ｐｏｌｉｃｙ  ｓｕｂｆｉｅｌｄがＮｏ  Ａｃｋ設定されたフレームを受信するかあるいはＡｃｋ  Ｐｏｌｉｃｙ  ｓｕｂｆｉｅｌｄがＮｏ  Ａｃｋではない状態であって、ＡＣＫを送信した場合
【０１１３】
この時、ＡＰ  ＶＨＴステーションは残ったＴＸＯＰ区間に設定されるＤｕｒａｔｉｏｎ／ＩＤ値とＮＡＶ−ＳＥＴ  Ｓｅｑｕｅｎｃｅ（例えば、ＲＴＳ／ＣＴＳ）を含むことができる。この時、ＡＰ  ＶＨＴステーションは残ったＴＸＯＰの間に上述した条件に基づいて非活性化状態に転換するｎｏｎ−ＡＰ  ＶＨＴステーションに対してはフレームを送信しないことができる。
【０１１４】
また、一例として、ＡＰ  ＶＨＴステーションがＶＨＴ  ＰＰＤＵをＴＸＶＥＣＴＯＲパラメータであるＴＸＯＰ＿ＰＳ＿ＮＯＴ＿ＡＬＬＯＷＥＤを０値に設定して同じＴＸＯＰで一緒に送信し、ステーションが活性化状態で非活性化状態に変更されることを望まない場合、ＡＰ  ＶＨＴステーションはＶＨＴ  ＳＵ  ＰＰＤＵを送信しないことができる。
【０１１５】
また、一例として、ＡＰ  ＶＨＴステーションはＴＸＯＰが始まるときに設定されたＮＡＶが満了する前には非活性化状態に転換したＶＨＴステーションにフレームを送信しないことができる。
【０１１６】
この時、ＡＰ  ＶＨＴステーションがＭｏｒｅ  Ｄａｔａ  ｆｉｅｌｄが０に設定された状態でＭＳＤＵ、Ａ−ＭＳＤＵ及びＭＭＰＤＵの少なくとも一つ以上を含むフレームを送信した後ＡＣＫを受信することができなかった場合、同じＴＸＯＰで少なくとも一度再送信できる。この時、一例として、同じＴＸＯＰの最後のフレームで再伝送に対するＡＣＫを受信することができなかった場合、次のＴＸＯＰまで待ってからフレームが再送信できる。
【０１１７】
また、一例として、ＡＰ  ＶＨＴステーションがＴＸＯＰ  ｐｏｗｅｒ  ｓａｖｅモードで動作するＶＨＴステーションからＢｌｏｃｋＡｃｋフレームを受信することができる。この時、ＢｌｏｃｋＡｃｋフレームはＭｏｒｅ  Ｄａｔａ  ｆｉｅｌｄが０に設定されたＭＰＤＵを含むＡ−ＭＰＤＵに対する応答であってもよい。この時、ＡＰ  ＶＨＴステーションが非活性化状態であるので、同じＴＸＯＰの間には再送信されるＭＰＤＵのサブシーケンスの応答を受信することができないこともある。
【０１１８】
また、ＴＸＯＰ  ｐｏｗｅｒ  ｓａｖｅモードで動作して非活性化状態に転換したＶＨＴステーションはＮＡＶタイマーを非活性化状態の間に動作するようにすることができる。この時、一例として、タイマーが完了すれば、ＶＨＴステーションはアウェイク状態に転換することができる。
【０１１９】
また、ステーションは、ＮＡＶタイマーが満了すれば、媒体接続のための競争を行うことができる。
【０１２０】
以下では具体的に１１ａｘシステムのフレームフォーマットについて説明する。
【０１２１】
図１８及び図１９は本発明が適用可能なＩＥＥＥ  ８０２．１１ａｘシステムにおけるＰＰＤＵフォーマットを説明するための図である。
【０１２２】
図１８に示したように、１１ａｘシステムのＰＰＤＵはレガシーＳＴＡのためのＬ−パートと１１ａｘ  ＳＴＡのためのＨＥ−パートに区分できる。Ｌ−パートはレガシーＳＴＡの衝動防止などのためのもので、既存標準化による伝送方式に従うことが好ましい。
【０１２３】
ＨＥ−ＳＩＧ  Ａはフレーム解釈のための制御情報の一種で、１１ａｘ  ＳＴＡのための共通制御情報（例えば、ｂａｎｄｗｉｄｔｈ，  ＧＩ（Ｇｕａｒｄ  Ｉｎｔｅｒｖａｌ）  ｌｅｎｇｔｈ，  ＢＳＳ  ｃｏｌｏｒ  ｆｉｅｌｄ）を含むことができ、ＨＥ−ＳＴＦ以後のＨＥ−パートからは４倍のＦＦＴ長を有することができる。一方、複数のＳＴＡに対してＰＰＤＵを送信／受信するとき、各ＳＴＡ別に制御情報（例えば、ＳＴＡ  ＡＩＤ，  ｒｅｓｏｕｒｃｅ  ａｌｌｏｃａｔｉｏｎ  ｉｎｆｏｒｍａｔｉｏｎ（例えば、ａｌｌｏｃａｔｉｏｎ  ｓｉｚｅ），  ＭＣＳ，  Ｎｓｔｓ，  Ｃｏｄｉｎｇ，  ＳＴＢＣ，  ＴＸＢＦ）を含むフィールドとしてＨＥ−ＳＩＧ  Ｂフィールドを含むことができる。すなわち、１１ａｘのＰＰＤＵは二つの別個のシグナリングフィールドを含み、これは第１シグナリングフィールド／第２シグナリングフィールドということも、ＨＥ−ＳＩＧ  Ａ／ＨＥ−ＳＩＧ  Ｂということもできる。以下では、便宜上、ＨＥ−ＳＩＧ  Ａ／ＨＥ−ＳＩＧ  Ｂということにする。
【０１２４】
一方、ＨＥ−プリアンブル（ＨＥ−ＳＩＧ  Ａ、ＨＥ−ＳＴＦ、ＨＥ−ＬＴＦ及びＨＥ−ＳＩＧ  Ｂ）以後にはデータフィールドを含むことができる。このデータフィールドを介して複数のＳＴＡがデータを送信するとか受信することができるから、ＨＥ−ＳＩＧ  Ｂはこれらの複数のＳＴＡに対するデータ伝送リソース割当情報を含むことが好ましい。
【０１２５】
図１９はＨＥ  ＰＰＤＵが８０ＭＨｚ広帯域幅を介して送信される例を示す。図１９で使われたＰＰＤＵは図１８とは各フィールドの手順が違って配置されており、このようにＨＥ  ＰＰＤＵの配置順序は多様であってもよい。
【０１２６】
図１９のように広帯域送信を行う場合、共通制御情報を含むＨＥ−ＳＩＧ  ＡはＬ−パートのように２０ＭＨｚ単位で複製（Ｄｕｐｌｉｃａｔｉｏｎ）されて送信できる。一方、ＳＴＡ別に制御情報を含むＨＥ−ＳＩＧ  Ｂは図１９の例で全帯域幅にわたってエンコードされて送信される場合を示しているが、これに限定される必要はなく、後述するように多様な方式で送信できる。
【０１２７】
一方、以下では、上述したフレーム構造のうちＨＥ−ＳＩＧ  Ｂの構造について重点的に説明する。
【０１２８】
ＨＥ−ＳＩＧ  Ｂ伝送方法
【０１２９】
図２０は本発明の一実施形態によってＨＥ−ＳＩＧ  Ｂを構成して送信する方法を説明するための図である。
【０１３０】
複数のＳＴＡが無線フレームを受信する場合、各ＳＴＡはＨＥ−ＳＩＧ  Ｂフィールドで自分のコンテンツをデコードするために、ブラインド検出を行う。例えば、自分のＰＡＩＤとＣＲＣをマスキングして自分のコンテンツであるかを確認することができる。この時、ＳＴＡのブラインド検出実行回数を最小化し、自分のコンテンツが含まれたＨＥ−ＳＩＧ  Ｂを効率的に捜すことによってＳＴＡのプロセッシングオーバーヘッドを減らすことができる。
【０１３１】
このために、本発明の一実施形態では、図２０に示したように、特定の２０ＭＨｚ帯域内でＨＥ−ＳＩＧ  Ｂ情報を複数のブロックに分けてエンコードし、そのうち一番目ブロックでは全てのＳＴＡが読める共通の制御情報を含むことを提案する。すなわち、無線フレームのＨＥ−プリアンブルの２種のシグナリングフィールドであるＨＥ−ＳＩＧ  Ａはフレーム解釈のために共通した制御情報を含ませ、ＨＥ−ＳＩＧ  ＢはＳＴＡ別の制御情報を含ませ、ＨＥ−ＳＩＧ  Ｂの一番目ブロックには再び複数のＳＴＡに共通した制御情報を含ませて各ＳＴＡのＨＥ  ＳＩＧ  Ｂデコーディング動作を効率的に行える。
【０１３２】
図２０では、全てのＳＴＡに共通した制御情報を第１ＨＥ  ＳＩＧ  Ｂブロックで構成し、ついで複数のブロックに各ＳＴＡ別に制御情報を別個ブロックで構成することを示しているが、これに限定される必要はなく、共通制御ブロックに後続するＳＴＡ別の制御情報は所定ＳＴＡがグルーピングされ、グルーピングされたＳＴＡ別の制御情報単位でエンコードされることもできる。
【０１３３】
また、図２０に示したように、各ＨＥ−ＳＩＧ  Ｂブロックは個別的なＣＲＣを含むことができ、共通制御ブロックはＳＴＡ別のＡＩＤではなく、複数のＳＴＡの共通識別子、例えばＰＢＳＳＩＤ又はＢｒｏａｄｃａｓｔ／Ｍｕｌｔｉｃａｓｔ  ＩＤ（例えば、ＩＤの全てのビットが０又は１に設定されたＩＤ）によって区分できる。
【０１３４】
上述した共通制御情報を含むブロックは複数のＳＴＡに対するリソース割当情報を含むことが好ましい。ここで、リソース割当情報は各ＳＴＡ別の個別的なリソース割当位置を示すよりは全てのＳＴＡに共通してリソース単位の構成と、各リソース単位の位置を知らせることが好ましい。その後、後続のＳＴＡ別の制御情報フィールドはこれに基づいて各ＳＴＡに対するリソース割当を知らせることができる。すなわち、共通制御情報を含む第１ブロックでのリソース割当情報は割り当てられるリソースユニットの数、リソース割当単位の大きさ、各リソース割当単位の周波数領域配置についての情報及び各リソース割当単位当たり割り当てられた使用者の数についての情報を含むことができる。
【０１３５】
下記の表はＨＥ  ＳＩＧにおけるリソース割当情報の一例を示す。
【０１３６】
【表１】
0006484346.tif 000002
【０１３７】
前記表１で、Ｎｕｌｌ  ｓｕｂｂａｎｄ  ｉｎｆｏは全帯域幅でどの部分がｎｕｌｌ  ｓｕｂｃｈａｎｎｅｌであるかを示す。ＯＦＤＭＡ  ｒｅｓｏｕｒｃｅ  ａｌｌｏｃａｔｉｏｎ  ｉｎｆｏｒｍａｔｉｏｎはＯＦＤＭＡリソースがどの方式で割り当てられるかを示す。例えば、全帯域幅で２４２ｔｏｎｅｓ  ｕｎｉｔがいくらであり、どのサブバンドに割り当てられたか、２６ｔｏｎｅｓ  ｕｎｉｔがどのサスバンドに割り当てられ、いくらが割り当てられたかを示す。ＳＴＡ’ＩＤはＳＴＡのＰＡＩＤ又はＧｒｏｕｐ  ＩＤを示す。各ＯＦＤＭＡリソースの割当数だけ繰り返し行われる。ＳＴＢＣ／Ｎｓｔｓ／ＭＣＳ／Ｃｏｄｉｎｇは割り当てられるＳＴＡの数だけ行われる。
【０１３８】
図２１は本発明の一実施形態によるリソース割当構造を説明するための図である。
【０１３９】
ＯＦＤＭＡ  ｒｅｓｏｕｒｃｅ  ａｌｌｏｃａｔｉｏｎ  ｉｎｆｏｒｍａｔｉｏｎは、図２１に示したように、Ｌａｒｇｅ  Ｔｏｎｅ  Ｕｎｉｔ：ＬＴＵ（２４２ｔｏｎｅｓ  ｕｎｉｔ）割当情報とＳｍａｌｌ  Ｔｏｎｅ  Ｕｎｉｔ：ＳＴＵ（２６ｔｏｎｅ  ｕｎｉｔ）割当情報に分けられることができ、ＬＴＵ割当はＬＴＵビットマップ、一番目ＬＴＵ割当ビットマップと他のＬＴＵ割当大きさで構成できる。ＬＴＵビットマップはそれぞれのＬＴＵが２４２ｔｏｎｅｓ  ｕｎｉｔに割り当てられるかあるいは２６ｔｏｎｅｓ  ｕｎｉｔに割り当てられるかを示し、一番目ＬＴＵ割当ビットマップは第１ＬＴＵ割当の割当位置及び大きさを示すことができる。他のＬＴＵ割当大きさは残りのＬＴＵの割当位置及び割当大きさを示す。
【０１４０】
上述したものに基づき、第１ＨＥ−ＳＩＧ  Ｂに入る共通コンテンツ情報にはＬＴＵ（２４２ｔｏｎｅｓ）割当、ＳＴＵ割当情報の一つ以上を含むことができる。したがって、ＳＴＡは第１ＨＥ−ＳＩＧ  Ｂを読み取り、いくつのリソース割当がどの位置に発生したかが分かる。追加的に、第１ＨＥ−ＳＩＧ  Ｂにリソース割当の総数、ＬＴＵ割当数、ＳＴＵ割当数、ＬＴＵ／チャンク別のＳＴＵ割当数又は割当ユーザの総数のうち一つ以上を含ませて送信することができる。また、このような情報はＬＴＵ／ＳＴＵリソース割当の代わりに含ませて送信することができる。
【０１４１】
第１ＨＥ−ＳＩＧ  Ｂに入る情報（例えば、ＬＴＵ割当、ＳＴＵ割当、総割当／ＬＴＵ割当／ＳＴＵ割当／ＬＴＵ別のＳＴＵ割当数、ユーザ割当数など）の中で一部又は全部がＨＥ−ＳＩＧ  Ａに含まれて送信できる。仮に、一部の情報がＨＥ−ＳＩＧ  Ａに含まれて送信されれば、ＬＴＵ割当情報、各割当数がＨＥ−ＳＩＧ  Ａに含まれて送信され、ＳＴＵ割当情報は第１ＨＥ−ＳＩＧ  Ｂに含まれて送信されるであろう。
【０１４２】
第１ＨＥ−ＳＩＧ−Ｂは大きさが固定されてもよく可変的であってもよい。可変的な場合、ＨＥ−ＳＩＧ  Ａで大きさが示されることができる。大きさの単位はｎビット又はｎバイト又はｎシンボル（ｎ：１、２、４及び８のいずれか一つ）の一つに設定できる。
【０１４３】
以下では上述したように構成される特定の２０ＭＨｚ帯域のＨＥ  ＳＩＧ  Ｂを広帯域に送信する方式について説明する。
【０１４４】
図２２は本発明の一実施形態によって特定の２０ＭＨｚ帯域のＨＥ  ＳＩＧ  Ｂが他の帯域に複製されて送信される形態を示す。
【０１４５】
すなわち、図２２に示した実施形態では、上述したように、特定の２０ＭＨｚ帯域で構成されたＨＥ  ＳＩＧ  Ｂ情報が他の２０ＭＨｚ帯域にそのまま複製されて送信されることを仮定する。
【０１４６】
図示のように、２０Ｍｈｚ当たり複製されて送信されたＨＥ−ＳＩＧ  Ｂを受信したＳＴＡ／ＡＰはチャネル当たり受信したＨＥ−ＳＩＧ  Ｂ信号を蓄積して受信信号に対する信頼度を高めることができる。チャネル当たり同じ信号が複製されて送信されるから、蓄積された信号のゲインは複製された信号が送信されたチャネルの数によって複製される前の信号に比べて理想的に３ｄＢｘ（チャネルの＃）のゲインを有するので、既存信号に比べて良い受信性能を保障することができることになる。したがって、複製されたＨＥ−ＳＩＧ  Ｂは複製されたチャネルの数によってＭＣＳレベルを高めて送信できる。例えば、ＨＥ−ＳＩＧ  Ｂがｍｃｓ０を用いて送信されるとき、４０ｍｈｚを用いて送信されるＨＥ−ＳＩＧ  ＢはＭＣＳレベルを一つ高めてＭＣＳ１を用いて送信でき、既存より高いＭＣＳ  ｌｅｖｅｌを用いて送信されるので、ＨＥ−ＳＩＧ  Ｂのｏｖｅｒｈｅａｄを減らすことができる。
【０１４７】
図２３は本発明の一実施形態によって各２０ＭＨｚ帯域のＨＥ  ＳＩＧ  Ｂを互いに独立的に構成して送信する形態を示す。
【０１４８】
図２３のように、ＨＥ−ＳＩＧ  Ｂはレガシーパート（例えば、Ｌ−ＳＴＦ＋Ｌ−ＬＴＦ＋Ｌ−ＳＩＧ）、ＨＥ−ＳＩＧ  Ａと同様に１ｘｓｙｍｂｏｌ構造で送信され、広帯域幅でＨＥ−ＳＩＧ  Ｂを含むＬ−ＳＴＦ＋Ｌ−ＬＴＦ＋Ｌ−ＳＩＧ＋ＨＥ−ＳＩＧ  Ａ＋ＨＥ−ＳＩＧ  Ｂの長さはチャネルに関係なく同一でなければならない。しかし、２０ＭＨｚ当たり送信されるＨＥ−ＳＩＧ  Ｂは該当帯域に対する割当情報を含んでおり、前記情報は該当帯域を用いるユーザ当たり割当情報、ユーザ識別などを含んでいる。この時、各帯域支援するユーザの数と用いるリソースブロックの構成が違うから、帯域当たり送信されるＨＥ−ＳＩＧ  Ｂの情報が違うことができるので、各チャネル別にＨＥ−ＳＩＧ  Ｂの長さが互いに異なることもある。
【０１４９】
このために、本発明の一実施形態では、特定帯域のＨＥ  ＳＩＧ  Ｂが他の帯域のＨＥ  ＳＩＧ  Ｂと違う長さを有する場合、パッディングを用いて各帯域のＨＥ  ＳＩＧ  Ｂの長さが同じになるように調節することができる。
【０１５０】
図２４及び図２５は本発明の他の実施形態によって広帯域でＨＥ−ＳＩＧ  Ｂを送信する方法を示す。
【０１５１】
具体的に、図２４及び図２５の方式は図２２の複製伝送方式と図２３の個別伝送方式を組み合わせた方式であり、図２４は、８０ＭＨｚを介して送信する場合、４０ＭＨｚ単位では独立的なＨＥ  ＳＩＧ  Ｂを構成して送信し、４０ＭＨｚ内では特定の２０ＭＨｚのＨＥ−ＳＩＧ  Ｂを他の２０ＭＨｚに複製して送信する場合を示す。これとは違い、図２５は、４０ＭＨｚ内では２０ＭＨｚ単位で独立的な制御情報を送信し、特定の４０ＭＨｚ情報を他の４０ＭＨｚに複製して送信する方式を示す。
【０１５２】
このような組合せ方式は上述した複製伝送方式と独立伝送方式の長短所を組み合わせた効果を有することができる。
【０１５３】
一方、以下では特定の帯域におけるＨＥ−ＳＩＧ  Ｂ情報のエンコード方式について具体的に説明する。
【０１５４】
図２６は本発明の一実施形態によって特定の帯域で全てのＳＴＡに対するＨＥ−ＳＩＧ  Ｂを一つの単位でエンコードする方式を示す図である。
【０１５５】
図２０の場合、各ＳＴＡ別にＨＥ−ＳＩＧ  Ｂコンテンツをエンコードする方式を用いたが、図２６の場合、これとは違い、多数人のＳＴＡに対するコンテンツを一つのＨＥ−ＳＩＧ  Ｂに含ませて一つにエンコードすることを示している。上述したＨＥ−ＳＩＧ構造に適用すれば、図２２の２０ＭＨｚ当たり複製方式ではジョイントエンコード（Ｊｏｉｎｔ  ｅｎｃｏｄｉｎｇ）されたＨＥ−ＳＩＧコンテンツが２０ＭＨｚごとに同じコンテンツが複製されて送信され、図２３の２０ＭＨｚ当たり独立（Ｉｎｄｅｐｅｎｄｅｎｔ  ｐｅｒ  ２０ＭＨｚ）方式では２０ＭＨｚごとにジョイントエンコードされたＨＥ−ＳＩＧ  Ｂが他のＳＴＡの情報を含んで送信できる。
【０１５６】
図２７は、図２６のようにエンコードする場合、ＣＲＣとテールビット（Ｔａｉｌ  ｂｉｔ）の位置を示した図である。
【０１５７】
図２８は本発明の他の一実施形態によって各ＳＴＡ別にＨＥ−ＳＩＧ  Ｂコンテンツを個別的にエンコードする方式を示す図である。
【０１５８】
各ＳＴＡ別に違うリソース情報を有し、各ＳＴＡのコンテンツごとにＣＲＣが付いて送信できる。よって、ＨＥ−ＳＩＧ  Ｂでエラーが発生すると言っても一部のＳＴＡのコンテンツを復旧することができる利点がある。
【０１５９】
このような個別エンコード方式は具体的に下記の二つの詳細方法に分けられることができる。
【０１６０】
図２９及び図３０は個別エンコード方式においてＣＲＣ構成方式を説明するための図である。
【０１６１】
具体的に、図２９ではＳＴＡ別にコンテンツに対するＣＲＣを別に付け、コーディングは一つに行う方式を示している。
【０１６２】
一方、図３０はＳＴＡ別にコンテンツに対するＣＲＣを別に付け、各ＳＴＡ別にエンコーディングを別に行う方式を示している。この時、テールビットのオーバーヘッドを減らすため、テールビットコーディングをそれぞれ行うことができる。
【０１６３】
個別エンコード方式においてＣＲＣ  ｏｖｅｒｈｅａｄを減らすため、ＳＴＡのＰＡＩＤをＣＲＣとＸＯＲ  ｍａｓｋｉｎｇして送信することができ、受信ＳＴＡでＰＡＩＤをＣＲＣとＸＯＲし、ＣＲＣ検査を行うことで、ＣＲＣのエラー有無を判断することができる。
【０１６４】
図３１は本発明のさらに他の一実施形態によって特定の帯域でＨＥ−ＳＩＧ  Ｂをエンコードする方式を示す図である。
【０１６５】
図２０を参照して上述したように、特定帯域のＨＥ−ＳＩＧ  Ｂは全てのＳＴＡに共通した制御情報を含むブロックと各ＳＴＡ別に特定制御情報を含むブロックに区分されることが好ましく、図３１もこのような方式で制御情報を構成することを示している。
【０１６６】
ただ、図３１では各ＨＥ−ＳＩＧ  ＢブロックがＢＣＣエンコードブロックで構成され、特にＳＴＡ別に制御情報を一つのＳＴＡごとに別個のＢＣＣブロックで構成する代わりに所定数のＳＴＡについての制御情報をグルーピングし、グルーピングされたＳＴＡに対する制御情報単位でＢＣＣブロックを構成する例を示している。
【０１６７】
図３１で、各ＢＣＣブロックは別個のＣＲＣとテールビットを含むものを示している。また、特定帯域のＨＥ−ＳＩＧ  Ｂが他の帯域のＨＥ−ＳＩＧ  Ｂと時間領域の長さが違う場合、図３１に示したように、パッディングを挿入して時間領域の長さを合わせることができる。
【０１６８】
図３２は上述したような方法を具現するための装置を説明するための図である。
【０１６９】
図３２の無線装置８００は前記説明の特定ＳＴＡ、そして無線装置８５０は前記説明のＡＰに対応することができる。
【０１７０】
ＳＴＡ８００は、プロセッサ８１０、メモリ８２０及び送受信部８３０を含むことができ、ＡＰ８５０は、プロセッサ８６０、メモリ８７０及び送受信部８８０を含むことができる。送受信部８３０及び８８０は無線信号を送信／受信し、ＩＥＥＥ  ８０２．１１／３ＧＰＰなどの物理的階層で実行できる。プロセッサ８１０及び８６０は物理階層及び／又はＭＡＣ階層で実行され、送受信部８３０及び８８０と連結されている。プロセッサ８１０及び８６０は前述したＵＬ  ＭＵスケジューリング過程を行うことができる。
【０１７１】
プロセッサ８１０及び８６０及び／又は送受信部８３０及び８８０は特定の集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、他のチップセット、論理回路及び／又はデータプロセッサを含むことができる。メモリ８２０及び８７０はＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、記憶媒体及び／又は他の記憶ユニットを含むことができる。一実施例がソフトウェアによって実行されるとき、前述した方法は前述した機能を行うモジュール（例えば、プロセス、機能）で実行することができる。前記モジュールはメモリ８２０、８７０に記憶でき、プロセッサ８１０、８６０によって実行できる。前記メモリ８２０、８７０は前記プロセス８１０、８６０の内部又は外部に配置でき、周知の手段で前記プロセス８１０、８６０と連結できる。
【０１７２】
上述したように開示した本発明の好適な実施形態についての詳細な説明は当業者が本発明を具現して実施することができるように提供された。前記では本発明の好適な実施形態に基づいて説明したが、当該技術分野の熟練した当業者は前記説明から本発明を多様に修正及び変更することができることを理解することが可能であろう。したがって、本発明はここに示した実施形態に制限されるものではなく、ここに開示した原理及び新規の特徴と一致する最広の範囲を付与しようとするものである。
【産業上の利用可能性】
【０１７３】
上述したような本発明はＩＥＥＥ  ８０２．１１に基づく無線ＬＡＮシステムに適用されることを仮定して説明したが、ここに限定される必要はない。本発明はＡＰが複数のＳＴＡに対して制御情報を含むフレームを送信することができる多様な無線システムに同じ方式で適用可能である。
【図１】
0006484346.tif 000003
【図２】
0006484346.tif 000004
【図３】
0006484346.tif 000005
【図４】
0006484346.tif 000006
【図５】
0006484346.tif 000007
【図６】
0006484346.tif 000008
【図７】
0006484346.tif 000009
【図８】
0006484346.tif 000010
【図９】
0006484346.tif 000011
【図１０】
0006484346.tif 000012
【図１１】
0006484346.tif 000013
【図１２】
0006484346.tif 000014
【図１３】
0006484346.tif 000015
【図１４】
0006484346.tif 000016
【図１５（ａ）】
0006484346.tif 000017
【図１５（ｂ）】
0006484346.tif 000018
【図１６（ａ）】
0006484346.tif 000019
【図１６（ｂ）】
0006484346.tif 000020
【図１７】
0006484346.tif 000021
【図１８】
0006484346.tif 000022
【図１９】
0006484346.tif 000023
【図２０】
0006484346.tif 000024
【図２１】
0006484346.tif 000025
【図２２】
0006484346.tif 000026
【図２３】
0006484346.tif 000027
【図２４】
0006484346.tif 000028
【図２５】
0006484346.tif 000029
【図２６】
0006484346.tif 000030
【図２７】
0006484346.tif 000031
【図２８】
0006484346.tif 000032
【図２９】
0006484346.tif 000033
【図３０】
0006484346.tif 000034
【図３１】
0006484346.tif 000035
【図３２】
0006484346.tif 000036